(57)【特許請求の範囲】
【請求項１】
筐体(２)の内部に画像表示モジュールが設置され、前記筐体(２)には、画像表示モジュールの表面を露出させるための窓(23)が開設されると共に、該窓(23)を覆ってスクリーンパネル(４)が設置されている携帯電子機器において、前記筐体(２)の窓(23)の開口縁には、画像表示モジュールの外周部に形成されている角部と対向する領域に、画像表示モジュールの表面に対して傾斜する面取り部(24)が形成されると共に、該面取り部(24)とは背中合わせの位置に、スクリーンパネル(４)の裏面から離間する様に該裏面に対して傾斜する斜面が形成され、前記面取り部(24)と前記画像表示モジュールの角部との間には、前記窓(23)を包囲する枠状の防塵用クッション(９)が介在し、該防塵用クッション(９)は、前記画像表示モジュールの角部の内側と外側に跨っていることを特徴とする携帯電子機器。
【請求項２】
前記スクリーンパネル(４)の表面に圧力が加わったとき、前記筐体(２)の面取り部(24)は、防塵用クッション(９)を介して前記画像表示モジュールの角部を押圧し、該角部には、面取り部(24)の傾斜に応じた斜め方向の力が作用する請求項１に記載の携帯電子機器。
【請求項３】
前記筐体(２)の窓(23)は略四角形に開設され、該四角形の４辺の内、少なくとも１辺に沿って、前記面取り部(24)が形成されている請求項１又は請求項２に記載の携帯電子機器。
【請求項４】
前記筐体(２)には、前記窓(23)を包囲して、スクリーンパネル(４)の外周部(42)を設置するためのパネル設置部(25)が凹設され、該パネル設置部(25)の裏面と前記窓(23)を包囲する内周面とに跨って、前記面取り部(24)が形成されている請求項１乃至請求項３の何れかに記載の携帯電子機器。
【発明の詳細な説明】
【技術分野】
【０００１】
本発明は、携帯電話機の如く画像表示モジュールを具えた携帯電子機器に関するものである。
【背景技術】
【０００２】
折り畳み式携帯電話機は、操作側筐体と表示側筐体を互いに開閉可能に連結してなり、表示側筐体においては、例えば図８に示す如く、合成樹脂製の背面キャビネット(８)の内部にサブ液晶表示モジュール(６)が設置されており、背面キャビネット(８)に設けられている透明部(83)を透して、サブ液晶表示モジュール(６)に表示されている画像を観察することが可能となっている(特許文献１乃至３参照)。
【０００３】
背面キャビネット(８)は、透明部(83)を有するスクリーンパネル(82)と、該スクリーンパネル(82)が設置された背面パネル(81)とを具え、図９(ａ)に示す様に、スクリーンパネル(82)の外周部が背面パネル(81)に重ね合わされて、両面粘着テープにより固定されている。
背面パネル(81)とサブ液晶表示モジュール(６)の外周部との間には、防塵用クッション(９)が介在し、サブ液晶表示モジュール(６)の表面に塵が付着することを防止している。
【０００４】
この様に背面キャビネット(８)にサブ液晶表示モジュール(６)を配備した折り畳み式携帯電話機においては、折り畳み状態においても、サブ液晶表示モジュール(６)に着信情報等の各種の情報を表示して、ユーザに着信等を報知することが可能となっている。
【特許文献１】特開２００５−３９６７０号公報［H04M1/02］
【特許文献２】特開２００５−２５７７２３号公報［G02F1/1333］
【特許文献３】特開２００５−２７５１２６号公報［G03B15/00］
【発明の開示】
【発明が解決しようとする課題】
【０００５】
しかしながら、背面キャビネット(８)にサブ液晶表示モジュール(６)を配備した従来の折り畳み式携帯電話機においては、携帯時にサブ液晶表示モジュール(６)の画面が常に背面キャビネット(８)の表面に露出した状態となるので、図９(ａ)の如くスクリーンパネル(82)に大きな圧力Ｐが加えられることがある。
これによって背面キャビネット(８)が弾性変形すると、図９(ｂ)に示す様に、背面パネル(81)から防塵用クッション(９)を介してサブ液晶表示モジュール(６)の表面に大きな力Ｆ′が加わり、この結果、サブ液晶表示モジュール(６)の表面部を構成するガラス板(以下、表面ガラス板という)が割れてしまう虞があった。
【０００６】
サブ液晶表示モジュール(６)の表面ガラス板の破損を防止するためには、背面キャビネット(８)とサブ液晶表示モジュール(６)の間のクリアランスを大きくすればよいが、これによって携帯電話機の厚さが増大する問題がある。
又、背面キャビネット(８)の背面パネル(81)を金属製として背面キャビネット(８)の弾性変形を抑制する方法では、携帯電話機の重さが増大する問題がある。
【０００７】
そこで本発明の目的は、機器の厚さや重さを増大させることなく、大きな外力の作用による画像表示モジュールの破損を効果的に防止することが出来る携帯電子機器を提供することである。
【課題を解決するための手段】
【０００８】
本発明に係る携帯電子機器においては、筐体(２)の内部に画像表示モジュールが設置され、前記筐体(２)には、画像表示モジュールの表面を露出させるための窓(23)が開設されると共に、該窓(23)を覆ってスクリーンパネル(４)が設置されている。
ここで、前記筐体(２)の窓(23)の開口縁には、画像表示モジュールの外周部に形成されている角部と対向する領域に、画像表示モジュールの表面に対して傾斜する面取り部(24)が形成されると共に、該面取り部(24)とは背中合わせの位置に、スクリーンパネル(４)の裏面から離間する様に該裏面に対して傾斜する斜面が形成されている。
【０００９】
上記本発明の携帯電子機器においては、筐体(２)の表面に大きな圧力が加わって、筐体(２)が弾性変形したとしても、筐体(２)の窓(23)の開口縁に形成されている面取り部(24)の表面が、画像表示モジュールの外周部を押圧することになる。
ここで、面取り部(24)は、画像表示モジュールの表面に対して傾斜しているので、画像表示モジュール(表面ガラス板)に作用する力は、画像表示モジュールの表面に対して傾斜し、画像表示モジュールの表面に対して垂直な分力と、画像表示モジュールの表面に対して平行な分力に分解されることになる。この結果、画像表示モジュールの表面ガラス板の破損の原因となる力は小さくなって、表面ガラス板の破損が防止される。
【００１０】
具体的構成において、前記筐体(２)の面取り部(24)は、画像表示モジュールの外周部に形成されている角部(表面ガラス板の角部)に対向している。従って、面取り部(24)の表面は、画像表示モジュールの角部を斜め方向に押圧することとなり、これによって画像表示モジュールの表面ガラス板の破損が防止される。
【００１１】
又、具体的構成において、前記筐体(２)の窓(23)は略四角形に開設され、該四角形の４辺の内、少なくとも１辺に沿って、前記面取り部(24)が形成されている。ここで面取り部(24)は、前記４辺の内、筐体(２)の弾性変形によって画像表示モジュールを直接的に若しくは間接的に押圧することとなる１〜４辺に沿って形成する。
【００１２】
更に具体的な構成において、前記筐体(２)には、前記窓(23)を包囲して、スクリーンパネル(４)の外周部(42)を設置するためのパネル設置部(25)が凹設され、該パネル設置部(25)の裏面と前記窓(23)を包囲する内周面とに跨って、前記面取り部(24)が形成されている。
そして、前記筐体(２)のパネル設置部(25)と画像表示モジュールの外周部との間には、前記窓(23)を包囲する枠状の防塵用クッション(９)が介在している。
該具体的構成によれば、筐体(２)に大きな圧力が加わった場合、パネル設置部(25)に形成されている面取り部(24)の表面が防塵用クッション(９)を介して画像表示モジュールの外周部を斜め方向に押圧する。これによって画像表示モジュールの表面ガラス板の破損が防止される。
【発明の効果】
【００１３】
本発明に係る携帯電子機器によれば、大きな外力(負荷)が加わった場合にも筐体の面取り部により画像表示モジュールの外周部を斜め方向に押圧する構造を採用しているので、機器の厚さや重さを増大させることなく画像表示モジュールの破損を効果的に防止することが出来る。
【発明を実施するための最良の形態】
【００１４】
以下、本発明を折り畳み式の携帯電話機に実施した形態につき、図面に沿って具体的に説明する。
本発明に係る携帯電話機は、図１及び図２に示す様に、操作側筐体(１)と表示側筐体(２)をヒンジ機構(３)により連結して構成されている。
表示側筐体(２)の内部には、図６に示す様に、メイン液晶表示モジュール(７)とサブ液晶表示モジュール(６)とが、互いに背中合わせの位置関係で設置されている。
【００１５】
表示側筐体(２)は、図３に示す如く、背面キャビネット(20)と内面キャビネット(21)を互いに接合して構成され、表示側筐体(２)の内部には、前記サブ液晶表示モジュール(６)を搭載した回路基板(５)が設置される。
背面キャビネット(20)は、サブ液晶表示モジュール(６)の表面を覆う透明部(41)を有する合成樹脂製のスクリーンパネル(４)と、該スクリーンパネル(４)が設置される合成樹脂製の背面パネル(22)から構成される。
【００１６】
図４に示す様に、背面パネル(22)には、略４角形の窓(23)が開設され、該窓(23)を包囲して、スクリーンパネル(４)を設置するためのパネル設置部(25)が凹設されている。該パネル設置部(25)は、スクリーンパネル(４)の表面と平行な面内に延在している。
【００１７】
図５に示す如く、背面パネル(22)の裏面には、窓(23)を包囲する４辺の開口縁の内、３辺の開口縁に沿って、３つの面取り部(24)(24)(24)が形成されている。
各面取り部(24)は、図６に示す如く背面パネル(22)のパネル設置部(25)の裏面と前記窓(23)を包囲する内周面とに跨る斜面に形成されており、各面取り部(24)の表面が図７(ａ)の如くサブ液晶表示モジュール(６)の外周角部に対向している。
【００１８】
上記携帯電話機においては、図７(ａ)の如く表示側筐体(２)の表面に大きな圧力Ｐが加わって、同図(ｂ)の如く表示側筐体(２)がサブ液晶表示モジュール(６)側に弾性変形したとしても、パネル設置部(25)に形成されている面取り部(24)の表面が、防塵用クッション(９)を介して、サブ液晶表示モジュール(６)の外周角部(表面ガラス板の外周角部)を押圧することになる。
【００１９】
ここで、パネル設置部(25)の面取り部(24)は、サブ液晶表示モジュール(６)の表面に対して傾斜しているので、サブ液晶表示モジュール(６)に作用する力Ｆは、サブ液晶表示モジュール(６)の表面に対して傾斜し、サブ液晶表示モジュール(６)の表面に対して垂直な分力と、サブ液晶表示モジュール(６)の表面に対して平行な分力に分解されることになる。
【００２０】
この結果、サブ液晶表示モジュール(６)の表面ガラス板の破損の原因となる力は小さくなって、表面ガラス板の破損が防止される。
例えば図８及び図９に示す従来の携帯電話機では、２４〜２７Ｋｇ程度の外力の作用でサブ液晶表示モジュール(６)の表面ガラスに割れが生じていたが、本発明に係る携帯電話機では、面取り部(24)の形成によって、５０Ｋｇの外力が作用した場合にもサブ液晶表示モジュール(６)の表面ガラスに割れは発生しなかった。
【００２１】
上述の如く本発明に係る携帯電話機によれば、背面パネル(22)とサブ液晶表示モジュール(６)の間のクリアランスや、背面パネル(22)の材質を変更することなく、単に背面パネル(22)に面取り部(24)を形成しただけの簡易な改変で、大きな外力の作用によるサブ液晶表示モジュール(６)の表面ガラスの破損を防止することが出来る。
【図面の簡単な説明】
【００２２】
【図１】本発明に係る携帯電話機の斜視図である。
【図２】該携帯電話機を裏返した状態の斜視図である。
【図３】表示側筐体の分解斜視図である。
【図４】背面キャビネットの分解斜視図である。
【図５】背面パネルの裏面を示す斜視図である。
【図６】表示側筐体の断面図である。
【図７】不負荷時及び負荷時における表示側筐体の要部を示す拡大断面図である。
【図８】従来の携帯電話機の平面図である。
【図９】従来の携帯電話機の不負荷時及び負荷時における表示側筐体の要部を示す拡大断面図である。
【符号の説明】
【００２３】
(１)  操作側筐体
(２)  表示側筐体
(20)  背面キャビネット
(21)  内面キャビネット
(22)  背面パネル
(23)  窓
(24)  面取り部
(25)  パネル設置部
(４)  スクリーンパネル
(41)  透明部
(６)  サブ液晶表示モジュール
(７)  メイン液晶表示モジュール
【図１】
0004680135.tif 000002
【図２】
0004680135.tif 000003
【図３】
0004680135.tif 000004
【図４】
0004680135.tif 000005
【図５】
0004680135.tif 000006
【図６】
0004680135.tif 000007
【図７】
0004680135.tif 000008
【図８】
0004680135.tif 000009
【図９】
0004680135.tif 000010